(57)【要約】      （修正有）【課題】複数の表示ユニットを直列に接続してなる映像表示装置において、１つの表示ユニットを交換する際、その後段に接続された表示ユニットの映像表示が全て無効となり、表示内容が確認できにくくなることを改善する。【解決手段】複数の表示ユニットが複数段、複数桁に配置され、複数段の表示ユニットを信号ケーブルを介し順次接続して構成された表示部と、前記表示部における複数段の表示ユニットの初段および最終段に信号ケーブルを介し映像データ信号および制御信号を供給する制御部２とを備えた映像表示装置であって、前記表示ユニットに映像データ信号および制御信号の供給方向を選択する順方向回路６および逆方向回路７を設けるとともに、前記制御部に前記順方向回路および逆方向回路の動作を切り替えるスイッチ回路２ａを設けたものである。【選択図】図２
2014085422.tif 000002
【特許請求の範囲】
【請求項１】
複数の表示ユニットが複数段、複数桁に配置され、複数段の表示ユニットを信号ケーブルを介し順次接続して構成された表示部と、前記表示部における複数段の表示ユニットの初段および最終段に信号ケーブルを介し映像データ信号および制御信号を供給する制御部とを備えた映像表示装置であって、前記表示ユニットに映像データ信号および制御信号の供給方向を選択する順方向回路および逆方向回路を設けるとともに、前記制御部に前記順方向回路および逆方向回路の動作を切り替えるスイッチ回路を設けたことを特徴とする映像表示装置。
【請求項２】
前記表示ユニットに供給される方向信号の信号線にプルダウン抵抗を接続し、前記表示部における所定の表示ユニットを取り外した際、前記プルダウン抵抗により前記順方向回路から逆方向回路の動作に切り替えるようにしたことを特徴とする請求項１に記載の映像表示装置。
【発明の詳細な説明】
【技術分野】
【０００１】
この発明は、複数の表示ユニットを組み合わせて構築された映像表示装置に関するものである。
【背景技術】
【０００２】
複数の発光ダイオード等の発光素子をマトリックス状に配列して表示ユニットを形成し、この表示ユニットを複数個縦横に配置して大型の映像表示装置を構成することが行なわれている。
図４はこの種の映像表示装置を示す概要図で、図において、映像表示装置は、複数の表示ユニット１ａ、１ｂ、１ｃ、１ｄ、１ｅ、１ｆ、１ｇ、１ｈを複数段、複数桁に組み合わせて形成された表示部１と、この表示部１に信号を供給して画像を表示させる制御部２と、この制御部２から各表示ユニット１ａ〜１ｈに信号を供給する信号ケーブル３とから構成されている。
ここで、２段目以降の表示ユニット１ｂ、１ｃ、１ｄ、１ｆ、１ｇ、１ｈは、前段の表示ユニット１ａ、１ｂ、１ｃ、１ｅ、１ｆ、１ｇが出力した映像信号を受信するような直列型の配線が採用されている。（特許文献１、２参照）
【先行技術文献】
【特許文献】
【０００３】
【特許文献１】特開２００１−２８２１７３号公報
【特許文献２】特開２００１−１８８５１３号公報
【発明の概要】
【発明が解決しようとする課題】
【０００４】
このような従来の映像表示装置においては、使用に伴って表示素子が劣化することになるため、各表示ユニット１ａ〜１ｈを交換する必要が発生する。この場合、交換する表示ユニット１ａ〜１ｈに接続された信号ケーブル３を取り外すと、取り外した信号ケーブル３より下段にある表示ユニットは、全て信号の供給が停止され、画像の表示ができないものとなっていた。例えば、表示ユニット１ｂを交換する場合、図５に示すように、表示ユニット１ｂ〜１ｄが表示されなくなり、交換対象の表示ユニットが上段にある程、表示内容が確認し難いものとなる。
このような表示内容の欠落は、特に、災害情報や自動車の行先案内などの重要な情報を表示する場合、非表示領域が大きい程情報が欠落することに伴う影響が大きくなる。
【０００５】
この発明は、以上のような問題点を解決するためになされたもので、非表示となる表示ユニットを交換対象のものに限定させるようにした映像表示装置を提供することを目的とする。
【課題を解決するための手段】
【０００６】
この発明の映像表示装置は、複数の表示ユニットが複数段、複数桁に配置され、複数段の表示ユニットを信号ケーブルを介し順次接続して構成された表示部と、前記表示部における複数段の表示ユニットの初段および最終段に信号ケーブルを介し映像データ信号および制御信号を供給する制御部とを備えた映像表示装置であって、前記表示ユニットに映像データ信号および制御信号の供給方向を選択する順方向回路および逆方向回路を設けるとともに、前記制御部に前記順方向回路および逆方向回路の動作を切り替えるスイッチ回路を設けたものである。
【発明の効果】
【０００７】
この発明によれば、非表示となる表示ユニットを交換対象のみに限定することが可能となり、表示内容に与える影響を最小限に留めることができる。
【図面の簡単な説明】
【０００８】
【図１】この発明の実施の形態１に係る映像表示装置を示す構成図である。
【図２】図１における要部構成を示す回路図である。
【図３】この発明による表示ユニット交換時の映像表示例を示す概要図である。
【図４】従来の映像表示装置を示す構成図である。
【図５】従来の映像表示装置における表示ユニット交換時の映像表示例を示す概要図である。
【発明を実施するための形態】
【０００９】
実施の形態１．
以下、本発明を実施の形態１である図面を参照して説明する。
図１は、この発明の実施の形態１における映像表示装置の構成を示すものである。
図において、表示部１を構成する各表示ユニット１ａ〜１ｄ、１ｅ〜１ｈは、それぞれ２列に直結して配置され、制御部２から信号ケーブル３を介して順次映像信号が供給されるように接続されるとともに、最終段の表示ユニット１ｄおよび表示ユニット１ｈは、それぞれ信号ケーブル４を介して制御部２から映像信号が供給されるように接続され、いわゆるリング型の配線が施されている。
【００１０】
図２は、図１における要部構成を示す回路図で、一般的な表示ユニットの場合、制御部２は、発光素子を点灯させるための映像データ信号DATA、映像データ信号DATAをシフトさせるシフトクロック信号SCLK、映像データ信号DATAを一時的にバッファに格納するためのラッチ信号LAT、ゲートのオンオフを切り替えるイネーブル信号ENおよび方向信号DIRの５種類の信号を出力するように構成されており、また、逆方向の信号を無効または有効とするインバーターなどからなるスイッチ回路２ａが設けられている。
【００１１】
一方、表示ユニット１Ｎには、発光素子の点灯を制御するためのドライバＩＣが接続されており、映像データ信号DATAと、シフトクロック信号SCLK、ラッチ信号LAT、イネーブル信号ENなどの制御信号とが供給される。
ここで、シフトクロック信号SCLK、ラッチ信号LAT、イネーブル信号ENは、全表示ユニットに共通の制御信号であるため、ドライバICへ伝送されるものと、次段表示ユニットに伝送されるものとを単純に分岐するもので良い。
【００１２】
このような構成のもとで、通常動作時、方向信号DIRはＨ信号（High）を出力し、制御部２と表示部１との順方向回路６を有効とし、逆方向回路７を無効とする。このため、順方向回路６を通して各信号が表示ユニットに供給され、映像情報を表示することになる。
次に、表示ユニット１Ｎを交換等により取り外した場合、表示ユニット１Ｎに続く後段には制御部２からの方向信号DIRが伝送されなくなり、後段の表示ユニットは、プルダウン抵抗５によって方向信号DIRがＬ信号（Low）に切り替わる。このため、後段の表示ユニットは、順方向回路６が無効となり、逆方向回路７が有効となる。また、制御部２ではスイッチ回路２ａによって逆方向への信号出力が有効となる。
この結果、取り外した表示ユニット１Ｎの後段は、逆方向回路７を通して信号が供給され、映像を表示することが可能となる。すなわち、交換対象の表示ユニット１Ｎのみ映像が遮断され、その他の表示ユニットは、正常な映像を表示させることができる。
【００１３】
なお、上記の実施形態１においては、表示ユニットを４段、２桁に組み合わせて表示部１を構成したものについて説明したが、この発明は、これに限定されるものでなく、３段
以上の表示ユニットを用いて表示部１を構成したものであれば、同様に実施することができる。
【００１４】
以上説明したように、この発明によれば、交換対象の表示ユニットのみを非表示とし、他の表示ユニットは通常通り表示させることが可能となり、映像表示装置における表示内容に与える影響を最小限に留めることができる。
【００１５】
なお、本発明は、その発明の範囲内において、実施の形態を適宜、変形、省略することが可能である。
【符号の説明】
【００１６】
１：表示部        １ａ，１ｂ，１ｃ，１ｄ：表示ユニット
１ｅ，１ｆ，１ｇ，１ｈ：表示ユニット    ２:制御部    ２ａ：スイッチ回路
３，４:信号ケーブル      ５：プルダウン抵抗      ６：順方向回路
７：逆方向回路
【図１】
2014085422.tif 000003
【図２】
2014085422.tif 000004
【図３】
2014085422.tif 000005
【図４】
2014085422.tif 000006
【図５】
2014085422.tif 000007